(57)【要約】【課題】  コードレス電話装置の親機に対して、一斉に通信が可能な台数よりも多い数の子機が接続された場合に生じる通信のタイムロスを軽減できるようにする。【解決手段】  主装置１は、親機ＢＳ１〜ＢＳｎから提供される子機管理テーブルの情報に基づいて形成される親機別子機管理テーブル１４を備える。主装置１の制御回路１２は、親機に接続されている全ての子機に対して送信すべき情報がある場合に、当該全ての子機に対して当該情報を送信するばら撒きモードのオン／オフを、親機に制御信号を供給することにより制御する。制御回路１２は、親機別子機管理テーブル１４を参照し、接続されている子機が所定台数以下の親機は、ばら撒きモードをオンにし、接続されている子機が前記所定台数より多い親機は、ばら撒きモードをオフにするように制御する。【選択図】図２
2019146054.tif 000002
【特許請求の範囲】
【請求項１】
広域ネットワークに接続される電話制御装置に対して、複数の子機を接続可能なコードレス電話装置の１以上の親機が接続されて構成される電話システムの前記電話制御装置であって、
１以上の前記親機から提供される少なくとも接続されている子機の台数を管理可能な子機管理情報に基づいて形成される、親機別に接続されている子機の台数を把握可能な親機別子機管理情報を記憶する記憶手段と、
前記親機に接続されている全ての子機に対して送信すべき情報がある場合に、当該全ての子機に対して当該情報を送信するモードであるばら撒きモードのオン／オフを、前記親機に対して制御信号を供給することにより制御する制御手段と
を備え、
前記制御手段は、前記記憶手段の前記親機別子機管理情報に基づいて、接続されている子機が所定台数以下である親機については、前記ばら撒きモードをオンにし、接続されている子機が前記所定台数より多い親機については、前記ばら撒きモードをオフにするように制御するものである
ことを特徴とする電話制御装置。
【請求項２】
請求項１に記載の電話制御装置であって、
前記子機管理情報は、送信元の前記親機に対して未接続であるが接続可能な子機を示す情報をも含んでおり、
前記記憶手段の前記親機別子機管理情報に基づいて、一の親機に対して前記所定台数よりも多く接続されている子機のうち一部の接続を解除して、接続可能な他の親機と接続するように、前記一の親機と前記他の親機とに制御信号を供給して制御する平準化制御手段を備え、
前記制御手段は、前記平準化制御手段による制御後の子機の接続状態に応じて、前記ばら撒きモードのオン／オフを制御する
ことを特徴とする電話制御装置。
【請求項３】
広域ネットワークに接続される電話制御装置に対して、複数の子機を接続可能なコードレス電話装置の１以上の親機が接続されて構成される電話システムの前記コードレス電話装置の前記親機であって、
前記電話制御装置は、１以上の前記親機から提供される少なくとも接続されている子機の台数を管理可能な子機管理情報に基づいて形成される、親機別に接続されている子機の台数を把握可能な親機別子機管理情報を記憶する記憶手段と、前記親機に接続されている全ての子機に対して送信すべき情報がある場合に、当該全ての子機に対して当該情報を送信するモードであるばら撒きモードのオン／オフを、前記親機に対して制御信号を供給することにより制御する制御手段とを備え、前記制御手段は、前記記憶手段の前記親機別子機管理情報に基づいて、接続されている子機が所定台数以下である親機については、前記ばら撒きモードをオンにし、接続されている子機が前記所定台数より多い親機については、前記ばら撒きモードをオフにするように制御するものであり、
前記子機管理情報を記憶する子機管理情報記憶手段と、
前記子機管理情報記憶手段の前記子機管理情報を、前記電話制御装置に提供する子機管理情報提供手段と、
前記電話制御装置からの前記制御信号に基づいて、前記ばら撒きモードのオン／オフの切り替え制御を行う親機制御手段と
を備えることを特徴とするコードレス電話装置の親機。
【請求項４】
請求項３に記載のコードレス電話装置の親機であって、
前記親機制御手段は、前記ばら撒きモードをオフにした場合には、自機に接続されている子機の内、前記所定台数以下の１以上の決められた子機に対して、本来は全ての子機に対して送信すべき情報を送信するように制御する
ことを特徴とするコードレス電話装置の親機。
【請求項５】
請求項３または請求項４に記載のコードレス電話装置の親機であって、
前記子機管理情報は、送信元の前記親機に対して未接続であるが接続可能な子機を示す情報をも含んでおり、
前記電話制御装置は、前記記憶手段の前記子機管理情報に基づいて、一の親機に対して前記所定台数よりも多く接続されている子機のうち一部の接続を解除して、接続可能な他の親機と接続するように、前記一の親機と前記他の親機とに制御信号を供給して制御する平準化制御手段を備え、前記制御手段は、前記平準化制御手段による制御後の子機の接続状態に応じて、前記ばら撒きモードのオン／オフを制御するものであり、
前記電話制御装置の前記平準化制御手段からの前記制御信号に応じて、自機に接続されている子機の解除処理、又は、自機への新たな子機の接続処理を行うようにする平準化処理手段を備えることを特徴とするコードレス電話装置の親機。
【請求項６】
広域ネットワークに接続される電話制御装置に対して、複数の子機を接続可能なコードレス電話装置の１以上の親機が接続されて構成される電話システムであって、
前記電話制御装置は、
１以上の前記親機から提供される少なくとも接続されている子機の台数を管理可能な子機管理情報に基づいて形成される、親機別に接続されている子機の台数を把握可能な親機別子機管理情報を記憶する記憶手段と、
前記親機に接続されている全ての子機に対して送信すべき情報がある場合に、当該全ての子機に対して当該情報を送信するモードであるばら撒きモードのオン／オフを、前記親機に対して制御信号を供給することにより制御する制御手段と
を備え、
前記制御手段は、前記記憶手段の前記親機別子機管理情報に基づいて、接続されている子機が所定台数以下である親機については、前記ばら撒きモードをオンにし、接続されている子機が前記所定台数より多い親機については、前記ばら撒きモードをオフにするものであり、
前記コードレス電話装置の前記親機は、
前記子機管理情報を記憶する子機管理情報記憶手段と、
前記子機管理情報記憶手段の前記子機管理情報を、前記電話制御装置に提供する子機管理情報提供手段と、
前記電話制御装置からの前記制御信号に基づいて、前記ばら撒きモードのオン／オフの切り替え制御を行う親機制御手段と
を備えることを特徴とする電話システム。
【発明の詳細な説明】
【技術分野】
【０００１】
この発明は、例えば、コードレス電話装置が用いられて構成される電話システム、当該電話システムで用いられる装置に関する。
【背景技術】
【０００２】
近年、主装置やＳＩＰサーバなどの電話制御装置に対して、コードレス電話装置を接続して構成するビジネスホンシステム（ボタン電話システム）が提供されるようになってきている。コードレス電話装置は、親機と子機とが無線接続されて、１台の電話装置として機能するものである。コードレス電話装置を構成する親機と子機との間では、ＤＥＣＴ（Digital Enhanced Cordless Telecommunication）規格の通信方式が用いられている場合が多くなってきている。
【０００３】
ＤＥＣＴ規格においては、親機から子機へのダウンリンクでの通信方式は時分割多重方式を使用する時分割複信方式であること、子機から親機へのアップリンクの通信方式は時分割多元接続方式であることが定められている。また、ＤＥＣＴ規格において、使用周波数帯は、「１．９ＧＨｚ帯」を使用すること、チャンネル数は、最大５チャンネルであることなどが定められている。
【０００４】
また、ＤＥＣＴ規格では、符号化データの１チャンネルにおける１フレームは１０ミリ秒（ｍｓ）であり、図１１に示すように、２４タイムスロットに分割されている。なお、以下においては、タイムスロットを単にスロットと記載する。そして、１フレームの前半の１／２フレーム期間の１２スロットＳ０〜Ｓ１１は、親機から子機へのダウンリンクに用いられ、後半の１／２フレーム期間の１２スロットＳ１２〜Ｓ２３は、子機から親機へのアップリンクに用いられる。
【０００５】
ビジネスホンシステムで用いられるＤＥＣＴ規格のコードレス電話装置においては、電源がオフの状態でなければ、待機状態（アイドル状態）で１台のコードレス電話装置が１２スロット中の１スロットを使用して、親機から子機へ、同期信号などを含め、種々の制御情報を送信している。この時のスロットをダミーベアラという。なお、通常、親機に対しては複数台の子機が接続可能にされているが、親機に対して、１台の子機だけが接続されている場合にも、また、複数台の子機が接続されている場合にも、待機状態では１つのスロット（ダミーベアラ）を使用して各子機に対して制御情報などが送信される。なお、この場合、子機から親機へ情報の送信は行われない。
【０００６】
このような待機状態から、例えば着信があり、上位装置から親機に対して着信が通知されると、親機はダミーベアラを使用して各子機に対してデータセッション接続要求を通知し、子機が空きスロットをサーチして親機に働きかけ、通信に使用するスロットの取得を試みる。データセッション接続要求は、親機と子機とが相互に通信できる環境を整えるための要求であり、着信通知がなされるものではない。そして、データセッション接続要求に応じて、親機と子機との間で相互に通信を行うためのスロットが取得できたら、親機はダミーベアラを解放し、取得したダウンリンクのスロットを用いて着信を通知する。同時に親機は、アップリンクのスロットも特定して子機からの情報の受信もできるようにする。
【０００７】
このように、親機と子機との間で相互に通信を行うために取得したスロットをトラフィックベアラという。そして、トラフィックベアラを通じては、同期信号などを含め、種々の制御情報の送信が行われると共に、通信の相手先との間に通話回線が接続された後においては、音声情報の送信も行われる。トラフィックベアラでは種々の制御情報などの送信も行われるため、トラフィックベアラを特定（取得）して、ダミーベアラを解放する処理を、ダミーベアラをトラフィックベアラにマージするという。
【０００８】
しかしながら、図１１を用いて説明したように、ＤＥＣＴ規格のコードレス電話装置の場合、アップリンクもダウンリンクも１２スロットであるので、１つの親機に接続される子機が１２台を超えると、使用可能なスロットの数を超えてしまう。この場合に、全ての子機に対して例えば着信を通知しようとすれば、データ通信を切り貼りする必要がありタイムロスが発生する。
【０００９】
ここで、データ通信を切り貼りするとは、１２スロットを１２台の子機に割り当てて着信を通知した後、当該１２スロットの一部のスロットを、当該１２台の子機以外の他の子機に割り当て直して、当該他の子機にも着信を通知することをいう。この場合、一度に１２台以上の全ての子機に対して着信を通知できないので、着信通知にタイムロスが生じるのである。
【００１０】
このため、例えば、後に記す特許文献１や特許文献２に開示されている発明のように、子機（端末）が通信可能な親機（基地局又はアクセスポイント）が複数存在する場合、各親機が収容する子機の台数を均等になるように制御することが考えられる。つまり、各親機が収容する子機の台数を、できるだけ片寄りが生じないように、平準化することにより、親機と子機とが常時良好に通信できるようにして、通信にタイムロスが生じないようにすることが考えられる。
【先行技術文献】
【特許文献】
【００１１】
【特許文献１】特開平１０−４１９６９号公報
【特許文献２】特開２０１５−１０６８９９号公報
【発明の概要】
【発明が解決しようとする課題】
【００１２】
しかしながら、上述した特許文献１や特許文献２に開示されている発明の場合、複数の子機が複数の親機との間で良好に通信が可能な位置関係にないと、各親機に接続される子機の台数が均等になるように制御することはできない。このため、１つの親機としか通信ができない位置関係にある子機が多数存在した場合には、親機に接続される子機の台数を均等にすることができず、通信のタイムロスを解消できない。
【００１３】
以上のことに鑑み、この発明は、コードレス電話装置を収容する電話システムにおいて、コードレス電話装置の親機に対して、一斉に通信が可能な台数よりも多い数の子機が接続された場合に生じる通信のタイムロスを軽減できるようにすることを目的とする。
【課題を解決するための手段】
【００１４】
上記課題を解決するため、請求項１に記載の発明の電話制御装置は、
広域ネットワークに接続される電話制御装置に対して、複数の子機を接続可能なコードレス電話装置の１以上の親機が接続されて構成される電話システムの前記電話制御装置であって、
１以上の前記親機から提供される少なくとも接続されている子機の台数を管理可能な子機管理情報に基づいて、親機別に接続されている子機の台数を把握可能な親機別子機管理情報を記憶する記憶手段と、
前記親機に接続されている全ての子機に対して送信すべき情報がある場合に、当該全ての子機に対して当該情報を送信するモードであるばら撒きモードのオン／オフを、前記親機に対して制御信号を供給することにより制御する制御手段と
を備え、
前記制御手段は、前記記憶手段の前記親機別子機管理情報に基づいて、接続されている子機が所定台数以下である親機については、前記ばら撒きモードをオンにし、接続されている子機が前記所定台数より多い親機については、前記ばら撒きモードをオフにするように制御するものである
ことを特徴とする。
【００１５】
請求項１に記載の発明の電話制御装置によれば、当該電話制御装置は、広域ネットワークに接続され、複数の子機を接続可能なコードレス電話装置の１以上の親機が接続される。当該電話制御装置は、自機に接続された１以上の親機から提供される、少なくとも当該親機に接続されている子機の台数を管理可能な子機管理情報に基づいて、親機別に接続されている子機の台数を把握可能な親機別子機管理情報を記憶する記憶手段を備える。また、当該電話制御装置は、親機に接続されている全ての子機に対して送信すべき情報がある場合に、当該全ての子機に対して当該情報を送信するモードであるばら撒きモードのオン／オフを、親機に対して制御信号を供給することにより制御する制御手段を備える。
【００１６】
そして、当該制御手段は、記憶手段の親機別子機管理情報に基づいて、接続されている子機が所定台数以下である親機については、ばら撒きモードをオンにし、接続されている子機が前記所定台数より多い親機については、ばら撒きモードをオフにするように制御する。これにより、親機に接続されている全ての子機に対して送信すべき情報がある場合であっても、当該親機に対して所定台数より多く接続されている場合には、ばら撒きモードがオフにされることにより、所定台数より多い子機の全てに情報が送信されないようにされる。
【発明の効果】
【００１７】
この発明によれば、コードレス電話装置を収容する電話システムにおいて、親機に接続された全ての子機に対して情報を送信するばら撒きモードのオン／オフを、親機に接続されている子機の台数に応じて制御できる。これにより、コードレス電話装置の親機に対して、一斉に通信が可能な台数よりも多い数の子機が接続された場合に生じる通信のタイムロスを軽減できる。
【図面の簡単な説明】
【００１８】
【図１】この発明による電話システムの実施形態の全体の概要を説明するためのブロック図である。
【図２】この発明による電話システムの実施形態の一部を構成する主装置の詳細構成例を示すブロック図である。
【図３】この発明による電話システムの実施形態の一部を構成する親機の詳細構成例を示すブロック図である。
【図４】この発明による電話システムの実施形態の一部を構成する子機の詳細構成例を示すブロック図である。
【図５】親機と子機の配置例について説明するための図である。
【図６】実施の形態の親機に形成される子機管理テーブルの例を説明するための図である。
【図７】実施の形態の親機に形成される子機管理テーブルの例を説明するための図である。
【図８】実施の形態の主装置に形成される親機別子機管理テーブルの例を説明するための図である。
【図９】実施の形態の主装置の処理の例を説明するためのフローチャートである。
【図１０】実施の形態の親機の処理の例を説明するためのフローチャートである。
【図１１】ＤＥＣＴ規格のスロットについて説明するための図である。
【発明を実施するための形態】
【００１９】
以下、図を参照しながら、この発明の装置、システムの一実施の形態について説明する。以下に説明する実施の形態においては、この発明を例えば会社などの構内に設けられるビジネスホンシステムなどと呼ばれる電話システムに適用した場合を例にして説明する。
【００２０】
［電話システムの構成例］
図１は、実施の形態の電話システム１０の全体の構成例を示すブロック図である。電話システム１０は、この発明による電話システムの一実施の形態が適用されて構成されたものである。この例の電話システム１０においては、電話制御装置の例としての主装置１に対して、内線電話装置として、複数のコードレス電話装置２１，２２，・・・，２ｎが接続されている。なお、添え字としての文字ｎは、基本的には１以上の整数を意味する。しかし、図１においては既にコードレス電話装置２１,２２が存在するため、図１において文字ｎは３以上の整数を意味している。以下、この明細書において、添え字としての文字ｎは、同様の意味で用いている。
【００２１】
コードレス電話装置２１，２２〜２ｎのそれぞれは、親機としてのベースセットＢＳ１，ＢＳ２〜ＢＳｎのそれぞれと、子機としてのハンドセットＨＳ１，ＨＳ２〜ＨＳｎのそれぞれとからなり、親機ＢＳ１，ＢＳ２〜ＢＳｎのそれぞれと、子機ＨＳ１，ＨＳ２〜ＨＳｎのそれぞれとは、無線接続される。また、図示は省略するが、主装置１に接続される内線電話装置としては、コードレス電話装置２１，２２〜２ｎのみではなく、通常のビジネスホンと同様に、デジタルボタン電話端末も接続することも可能である。
【００２２】
なお、図１においては、１台の親機に対して、１台の子機が接続されている場合を示しているが、親機ＢＳ１〜ＢＳｎのそれぞれに対しては、複数の子機を無線接続することができるようにされている。従って、子機ＨＳ１〜ＨＳｎの使用者は、子機ＨＳ１〜ＨＳｎを通じて通話しなら移動しても、親機ＢＳ１〜ＢＳｎのいずれかと通信が可能な範囲内であれば、ハンドオーバーしながら当該通話を維持することができる。ハンドオーバー（hand over）は、子機ＨＳ１〜ＨＳｎの移動に伴い、子機ＨＳ１〜ＨＳｎと通信する親機の切り替えを行うことを意味する。
【００２３】
そして、この実施形態では、コードレス電話装置２１〜２ｎの親機ＢＳ１〜ＢＳｎのそれぞれと、子機ＨＳ１〜ＨＳｎのそれぞれとの間の無線接続は、前述したデジタルコードレス電話のＤＥＣＴ規格（方式）を用いたＴＤＭＡ／ＴＤＤ方式により行うようにしている。主装置１は、１又は複数の電話回線Ｌ１〜Ｌｍ（ｍは１以上の整数）を収容可能である。そして、コードレス電話装置２１〜２ｎのそれぞれの親機ＢＳ１〜ＢＳｎが、この主装置１に接続されている。図１の例では、親機ＢＳ１〜ＢＳｎと主装置１とは有線で接続されているが、無線であってもよい。
【００２４】
主装置１は、複数のコードレス電話装置２１〜２ｎについての呼制御及び回線交換制御、その他のビジネスホンとしての制御を行うと共に、基準同期信号ＳＹＮＣを複数のコードレス電話装置２１〜２ｎのそれぞれに供給する機能を備えている。基準同期信号ＳＹＮＣは、この例では、１３０ミリ秒（ｍｓ）周期の信号とされている。
【００２５】
また、主装置１は、制御回路１２と、親機別子機管理テーブル１４とを備えている。親機別子機管理テーブル１４は、親機ＢＳ１〜ＢＳｎのそれぞれからの情報に基づいて、親機ＢＳ１〜ＢＳｎのそれぞれに接続されている（収容されている）子機や接続はされていないものの接続が可能な子機（親機と無線通信が可能な子機）を管理するものである。制御回路１２は、主装置１の各部を制御したり、自機に接続された親機ＢＳ１〜ＢＳｎに対する制御信号を形成して提供したりする処理を行う。また、この制御回路１２は、親機別子機管理テーブル１４の格納データに基づいて、親機ＢＳ１〜ＢＳｎのそれぞれごとに、ばら撒きモードのオン／オフを制御したり、親機ＢＳ１〜ＢＳｎにおいて接続される子機の台数を平準化したりする制御を行う。
【００２６】
なお、ばら撒きモードは、例えば着信通知などの親機に接続されている全ての子機に対して送信すべき情報がある場合に、当該全ての子機に対して当該情報を送信するモードである。ＤＥＣＴ規格のコードレス電話装置の場合、図１１を用いて説明したように、アップリンクとダウンリンクのそれぞれが１２スロットからなる１フレームを通信の処理単位としている。このため、親機ＢＳ１〜ＢＳｎに対しては、理論上、１２台の子機を同時に接続して同時に情報を送信できる。
【００２７】
しかし、親機ＢＳ１〜ＢＳｎに対して１２台より多くの子機が接続された場合には、子機に対するスロットの割り振り直しを行って、複数回に渡り情報を送信するデータ通信の切り貼りを行う必要が生じる。そこで、主装置１の制御回路１２は、子機の接続台数が１２台以下の親機については、ばら撒きモードをオンにして、各子機に対して一斉に情報を送信するようにする。また、主装置１の制御回路１２は、子機の接続台数が１２台より多い親機については、ばら撒きモードをオフにして、優先的に情報を送信する子機として定められた子機に対してのみ情報を送信するようにする。
【００２８】
また、親機に接続される子機の台数の平準化は、１２台より多くの子機が接続されている親機が存在する場合に、それらの子機の中に他の親機と接続可能なものがあれば、該当する子機を現在の接続先の親機から切り離し、他の親機に接続するものである。この平準化を行うことにより、ばら撒きモードをオフにする状態を少なくすることができる。このように、主装置１の制御回路１２は、親機別子機管理テーブル１４の情報に基づいて、ばら撒きモードのオフ／オフ制御と、子機の接続台数の平準化制御とを行うことができるものである。
【００２９】
コードレス電話装置２１〜２ｎの親機ＢＳ１〜ＢＳｎのそれぞれは、主装置１からの基準同期信号ＳＹＮＣに同期して、ＤＥＣＴ規格のデジタルコードレス電話の単位通信期間である１フレーム（１０ミリ秒（ｍｓ））の周期の同期信号としてのフレーム同期信号を生成する。そして、その生成したフレーム同期信号に基づいて、ＤＥＣＴ規格を用いたＴＤＭＡ／ＴＤＤ方式の無線通信を子機ＨＳ１〜ＨＳｎとの間で実行する。
【００３０】
親機ＢＳ１〜ＢＳｎのそれぞれは、基準同期信号ＳＹＮＣに基づいて、フレーム同期信号を生成する。そして、その生成したフレーム同期信号に基づいて、子機ＨＳ１〜ＨＳｎとの間で、１フレーム期間のダウンリンクとアップリンクのスロットを用いて、相互に無線通信を行うように制御する。また、親機ＢＳ１〜ＢＳｎのそれぞれは、子機管理テーブル４１１を備え、自機に接続されている子機のそれぞれを管理することができると共に、自機に接続はされていないが、接続可能な子機についても管理することができるようにしている。
【００３１】
そして、親機ＢＳ１〜ＢＳｎのそれぞれは、子機管理テーブル４１１で管理されている情報を主装置１に通知することができるものである。また、親機ＢＳ１〜ＢＳｎのそれぞれは、主装置１からの制御信号に基づいて、自機においてばら撒きモードのオン／オフを切り替えたり、接続されている子機を開放したり、また、子機を接続（収容）したりすることができるものである。
【００３２】
［主装置１の構成例］
図２は、主装置１の構成例を示すブロック図である。図２に示すように、主装置１は、電話回線Ｌ１〜Ｌｍが接続される回線インターフェース１１と、コンピュータを搭載して、主装置１の全体を制御するための制御回路１２と、回線ＬＳＩ（Large Scale Integrated Circuit）部１３と、親機別子機管理テーブル１４と、基準発振器１５とを備えて構成されている。
【００３３】
回線インターフェース１１は、制御回路１２からの制御により、回線Ｌ１〜Ｌｎからの音声信号（受話音声信号）は、回線ＬＳＩ部１３に供給し、回線からの呼制御信号などの制御信号は、制御回路１２に供給する。また、回線インターフェース１１は、制御回路１２からの制御により、回線ＬＳＩ部１３からの音声信号（送話音声信号）は、回線Ｌ１〜Ｌｍを通じて相手方に送信し、制御回路１２からの呼制御信号などの制御信号も、回線Ｌ１〜Ｌｍを通じて相手方に送信する。
【００３４】
回線ＬＳＩ部１３は、ｎ個の内線電話装置に対応して、ｎ個の内線処理回路１３１，１３２，・・・，１３ｎと、タイミング信号生成部１３０を備える。タイミング信号生成部１３０には、水晶振動子を用いた高精度の基準発振器１５からの基準クロック信号から伝送用クロック信号ＣＫ及び多重化／分割化用タイミング信号ＴＭを生成し、ｎ個の内線処理回路１３１〜１３ｎに供給する。ｎ個の内線処理回路１３１〜１３ｎは、全く同一の構成を備えるもので、それぞれ、音声信号処理部３１と、制御信号処理部３２と、同期信号処理部３３と、多重化／分割化処理部３４とからなる。
【００３５】
音声信号処理部３１は、回線インターフェース１１に接続されると共に、多重化／分割化処理部３４に接続されており、回線インターフェース１１からの受話音声信号及び多重化／分割化処理部３４からの送話音声信号の処理回路である。この音声信号処理部３１には、タイミング信号生成部１３０からの伝送用クロック信号ＣＫが供給されている。
【００３６】
制御信号処理部３２は、制御回路１２の制御信号入出力端に接続されると共に、多重化／分割化処理部３４に接続されており、発信時及び着信時、また、終話時などにおける呼制御信号などの制御信号（主装置１からコードレス電話装置への制御信号と、コードレス電話装置から主装置１への制御信号の両方）の処理回路である。この制御信号処理部３２にも、タイミング信号生成部１３０からの伝送用クロック信号ＣＫが供給されている。
【００３７】
同期信号処理部３３は、制御回路１２の同期信号出力端に接続されると共に、多重化／分割化処理部３４に接続されており、制御回路１２からの所定の同期信号パターンを有する基準同期信号ＳＹＮＣの処理回路である。この同期信号処理部３３にも、同様に、タイミング信号生成部１３０からの伝送用クロック信号ＣＫが供給されている。
【００３８】
多重化／分割化処理部３４は、音声信号処理部３１、制御信号処理部３２、同期信号処理部３３に接続されると共に、コードレス電話装置２１〜２ｎの親機ＢＳ１〜ＢＳｎのそれぞれに接続される。そして、多重化／分割化処理部３４は、タイミング信号生成部１３０からのタイミング信号ＴＭに基づいて、音声信号処理部３１からの音声信号と、制御信号処理部３２からの制御信号と、同期信号処理部３３からの基準同期信号ＳＹＮＣとを多重化（時分割多重）して多重化信号を生成し、その生成した多重化信号を親機ＢＳ１〜ＢＳｎのそれぞれに供給する。また、多重化／分割化処理部３４は、タイミング信号生成部１３０からのタイミング信号ＴＭに基づいて、親機ＢＳ１〜ＢＳｎのそれぞれからの多重化信号を音声信号と制御信号とに分割して、音声信号は音声信号処理部３１に、制御信号は制御信号処理部３２に、それぞれ供給する。
【００３９】
親機別子機管理テーブル１４は、親機ＢＳ１〜ＢＳｎのそれぞれからの情報に基づいて、制御回路１２によって形成される。そして、親機別子機管理テーブル１４は、上述もしたように、親機ＢＳ１〜ＢＳｎのそれぞれに接続されている子機や接続はされていないものの実際に無線通信が可能な（接続が可能な）子機を管理する情報を保持するものである。制御回路１２は、呼制御や回線交換制御などを行う他、親機ＢＳ１〜ＢＳｎからの情報に基づいて、親機別子機管理テーブルを作成するなどの処理を行う。更に、制御回路１２は、親機別子機管理テーブル１４の格納データに基づいて、親機ＢＳ１〜ＢＳｎのそれぞれごとに、ばら撒きモードのオン／オフを制御したり、親機ＢＳ１〜ＢＳｎにおいて接続される子機の台数を平準化したりする制御を行う。
【００４０】
なお、図示しないが、主装置１には、アドレス管理部も接続されている。アドレス管理部は、主装置１に接続されているコードレス電話装置２１〜２ｎの内線番号と内線処理回路１３１〜１３ｎのそれぞれとの対応を記憶管理する。この実施形態の電話システム１０においては、主装置１にコードレス電話装置２１〜２ｎのいずれかが接続された時に、そのコードレス電話装置の親機は、主装置１に対して接続要求を送る。
【００４１】
主装置１は、そのコードレス電話装置の親機からの接続要求を制御信号として受けた内線処理回路が内線処理回路１３１〜１３ｎの内のいずれであるかを検知することにより、コードレス電話装置が接続された内線処理回路を検知する。そして、制御回路１２は、設置工事者や管理者等により設定された内線番号、あるいは自動的に設定された内線番号と、コードレス電話装置が接続された内線処理回路の識別情報とを対応付けてアドレス管理部に登録する。
【００４２】
このアドレス管理部の情報に基づいて、主装置１に接続されたコードレス電話装置の動作状況などを適切に把握することができると共に、主装置１に接続されたコードレス電話装置のそれぞれを適切に制御できる。
【００４３】
［コードレス電話装置２１〜２ｎの構成例］
複数個のコードレス電話装置２１〜２ｎの親機ＢＳ１〜ＢＳｎ及び子機ＨＳ１〜ＨＳｎのそれぞれは、全て同じ構成を備える。そこで、以下の説明では、コードレス電話装置２１の親機ＢＳ１及び子機ＨＳ１の場合を例にとって、親機及び子機の構成例を説明する。
【００４４】
＜親機の構成例＞
図３は、親機ＢＳ１の構成例を示すブロック図である。この図３に示すように、親機ＢＳ１は、親機ＢＳ１の全体を制御するための制御回路４１と、回線ＬＳＩ部４２と、同期信号発生回路４３と、無線通信回路４４と、発振器４５及び４６とを備えて構成されている。
【００４５】
制御回路４１は、コンピュータを搭載して構成されている。そして、制御回路４１は、この親機ＢＳ１における呼制御などの制御を行う機能を備える。また、制御回路４１は、子機管理テーブル４１１を備え、自機に接続されている子機と、自機に接続はされていないが自機に接続可能な子機とを管理している。そして、制御回路４１は、子機管理テーブル４１１に格納されている情報を、後述する回線ＬＳＩ部４２を通じて主装置１に提供する機能を実現する。
【００４６】
また、制御回路４１は、主装置１から提供される制御信号に基づいて、自機の処理モードであるばら撒きモードのオン／オフの切り替え制御を行ったり、接続される子機の平準化のための制御を行ったりする。平準化のための制御には、既に接続されている子機のうち、指示された子機の接続を解除する制御や指示された接続されていない子機を自機に接続（収容）する制御がある。このように、制御回路４１は、呼制御などのコードレス電話装置として機能を実現するための制御と、モード切り替えや平準化のための制御を行うものである。
【００４７】
回線ＬＳＩ部４２は、主装置１との間で音声信号、制御信号及び同期信号のやり取りをするための回路であり、分割化／多重化処理部４２１と、制御信号処理部４２２と、音声信号処理部４２３と、同期信号検出部４２４と、ＰＬＬ（Phase locked Loop）部４２５とからなる。ＰＬＬ部４２５には、発振器４５からの基準周波数の発振信号が供給されると共に、主装置１からの多重化信号が供給される。この例では、発振器４５の発振信号の周波数は、例えば２０４８ＭＨｚ（０．４８８ナノ秒（ｎｓ））とされている。
【００４８】
ＰＬＬ部４２５は、主装置１からの多重化信号から、いわゆるセルフクロッキングにより、主装置１のタイミング信号生成部からのクロック信号ＣＫの成分を抽出し、その抽出したクロック信号ＣＫ成分と発振器４５からの発振信号とを位相比較して、その比較結果に基づいて、発振器４５の発振信号から、クロック信号ＣＫ成分に同期する親機ＢＳ１のシステムクロック信号ＳＣＫを生成する。
【００４９】
そして、ＰＬＬ部４２５は、生成したシステムクロック信号ＳＣＫを分割化／多重化処理部４２１、制御信号処理部４２２、音声信号処理部４２３、同期信号検出部４２４のそれぞれに、信号処理用クロック信号として供給すると共に、同期信号発生回路４３に供給する。
【００５０】
分割化／多重化処理部４２１は、主装置１に接続されると共に、制御信号処理部４２２、音声信号処理部４２３、同期信号検出部４２４に接続される。そして、分割化／多重化処理部４２１は、主装置１からの多重化信号から制御信号と音声信号と基準同期信号ＳＹＮＣを分割して、制御信号は制御信号処理部４２２に、音声信号は音声信号処理部４２３に、基準同期信号ＳＹＮＣは同期信号検出部４２４に、それぞれ供給する。
【００５１】
また、分割化／多重化処理部４２１は、制御信号処理部４２２からの制御信号と、音声信号処理部４２３からの音声信号とを多重化して多重化信号を生成し、その生成した多重化信号を主装置１に供給する。制御信号処理部４２２は、制御回路４１の制御信号入出力端に接続されると共に、分割化／多重化処理部４２１に接続されており、発信時及び着信時、また、終話時などにおける呼制御信号などの制御信号（主装置１からコードレス電話装置２１への制御信号と、コードレス電話装置２１から主装置１への制御信号の両方）の処理回路である。
【００５２】
音声信号処理部４２３は、無線通信回路４４に接続されると共に、分割化／多重化処理部４２１に接続されており、無線通信回路４４からの子機ＨＳ１から受信した受話音声信号及び分割化／多重化処理部４２１からの送話音声信号の処理回路である。同期信号検出部４２４は、分割化／多重化処理部４２１からの基準同期信号ＳＹＮＣを受けて、当該基準同期信号ＳＹＮＣが備える所定の同期信号パターンを検出することで、その検出時点の信号として、基準同期信号ＳＹＮＣと同期する、基準同期信号ＳＹＮＣと同一周期（１３０ｍｓ）の基準同期パルスＰＳを発生する。そして、同期信号検出部４２４は、発生した基準同期パルスＰＳを同期信号発生回路４３に供給する。
【００５３】
同期信号発生回路４３は、カウンタ４３１と、同期信号生成部４３２とからなる。カウンタ４３１には、回線ＬＳＩ部４２の同期信号検出部４２４からの１３０ｍｓの周期の基準同期パルスＰＳがプリセット端子ＰＥＲに供給されると共に、ＰＬＬ部４２５からのシステムクロック信号ＳＣＫがカウント入力として供給される。そして、このカウンタ４３１の出力カウント値ＣＮＴが同期信号生成部４３２に供給される。同期信号生成部４３２は、カウンタ４３１の出力カウント値ＣＮＴから、ＤＥＣＴ規格のフレーム周期（１０ｍｓ）の同期信号ＦＬを発生する。同期信号発生回路４３は、同期信号生成部４３２で生成したフレーム同期信号ＦＬを無線通信回路４４に供給する。
【００５４】
次に、無線通信回路４４について説明する。この実施形態では、無線通信回路４４は、ＤＥＣＴ規格の無線通信を行うための汎用の親機用無線通信ＬＳＩを用いている。この無線通信回路４４は、制御部４４１と、ＴＤＭＡ変復調部４４２と、無線通信部４４３とを備えて構成されている。無線通信部４４３は、子機ＨＳ１との間で、無線通信を行うための回路部である。
【００５５】
制御部４４１は、ＴＤＭＡ変復調部４４２及び無線通信部４４３に接続されると共に、制御回路４１に接続されている。制御部４４１は、この無線通信回路４４の全体の動作を制御すると共に、制御回路４１から得た制御信号に基づく制御信号をＴＤＭＡ変復調部４４２に供給する。
【００５６】
ＴＤＭＡ変復調部４４２は、制御部４４１及び回線ＬＳＩ部４２の音声信号処理部４２３に接続されると共に、無線通信部４４３に接続されており、制御部４４１からの制御信号と音声信号処理部４２３からの音声信号を子機ＨＳ１に送信するために変調を行う。このＴＤＭＡ変復調部４４２で変調された信号は、無線通信部４４３を通じて子機ＨＳ１に送信される。
【００５７】
また、ＴＤＭＡ変復調部４４２は、無線通信部４４３で受信された子機ＨＳ１からの受信信号から、音声信号及び制御信号を復調し、復調した音声信号は音声信号処理部４２３に供給し、復調した制御信号は、制御部４４１に供給する。
【００５８】
そして、ＴＤＭＡ変復調部４４２は、クロック生成用のＰＬＬ部４４２１を備える。このＰＬＬ部４４２１には、発振器４６からの発振信号が供給されると共に、同期信号発生回路４３からのフレーム同期信号ＦＬが供給される。
【００５９】
ＰＬＬ部４４２１は、同期信号発生回路４３からのフレーム同期信号ＦＬと発振器４６からの発振信号とを位相比較して、その比較結果に基づいて、発振器４６の発振信号から、フレーム同期信号ＦＬに同期するタイミング信号及びクロック信号を生成する。
【００６０】
ＴＤＭＡ変復調部４４２は、フレーム同期信号ＦＬに同期するタイミング信号及びクロック信号を用いて、割り当て使用可能となるダウンリンクでのスロットに相当する期間で子機ＨＳ１への送信信号を生成すると共に、アップリンクでのスロットを用いて、子機ＨＳ１からの受信信号の処理を行うようにする。
【００６１】
なお、通常、親機ＢＳ１は、主装置１に接続されて、前述したように、子機ＨＳ１との通信のための同期処理を開始し、常に、ダミーベアラを通じて子機ＨＳ１との間で通信が可能な状態を維持している。すなわち、親機ＢＳ１の無線通信回路４４の制御部４４１は、ＴＤＭＡ変復調部４４２で生成した送信信号を、自親機に設定された１つのスロットを用いて、無線通信部４４３を通じて子機ＨＳ１に送り、当該子機ＨＳ１から応答が返って来た時に、送信信号を送信するために用いたスロットをダウンリンク用として用い、子機ＨＳ１からの応答を受信したスロットをアップリンク用として同期を確立して、送受信を行うように制御する。
【００６２】
また、親機ＢＳ１は、着信が通知された場合に、これを子機ＨＳ１に送る。子機ＨＳ１は、着信の通知を受信すると、空きスロットのサーチ処理を行って、通信に用いるスロット（トラフィックベアラ）を特定し、親機ＢＳ１に通知して、当該取得したスロットを用いて、親機ＢＳ１と子機ＨＳ１との間を接続して、通話を行える状態を形成でできるようにしている。
【００６３】
＜子機の構成例＞
図４は、子機ＨＳ１の構成例を示すブロック図である。図４に示すように、子機ＨＳ１は、無線通信回路５１と、制御回路５２と、コーデック回路５３と、発振器５４と、マイクロホン５５と、スピーカ５６とを備えて構成されている。マイクロホン５５は送話器を構成し、スピーカ５６は受話器を構成する。
【００６４】
無線通信回路５１は、ＤＥＣＴ規格の無線通信を行うための汎用の子機用無線通信ＬＳＩを用いている。この無線通信回路５１は、制御部５１１と、ＴＤＭＡ変復調部５１２と、無線通信部５１３とを備えて構成されている。無線通信部５１３は、親機ＢＳ１との間で、無線通信を行うための回路部である。
【００６５】
制御部５１１は、ＴＤＭＡ変復調部５１２及び無線通信部５１３に接続されると共に、制御回路５２に接続されている。制御部５１１は、この無線通信回路５１の全体の動作を制御すると共に、制御回路５２から得た制御信号に基づく制御信号をＴＤＭＡ変復調部５１２に供給する。
【００６６】
ＴＤＭＡ変復調部５１２は、制御部５１１及び無線通信部５１３に接続されると共に、コーデック回路５３と接続されており、制御部５１１からの制御信号とコーデック回路５３からの音声信号を親機ＢＳ１に送信するために変調を行う。このＴＤＭＡ変復調部５１２で変調された信号は、無線通信部５１３を通じて親機ＢＳ１に送信される。また、ＴＤＭＡ変復調部５１２は、無線通信部５１３で受信された親機ＢＳ１からの受信信号から、音声信号及び制御信号を復調し、復調した音声信号はコーデック回路５３に供給し、復調した制御信号は、制御部５１１に供給する。
【００６７】
そして、ＴＤＭＡ変復調部５１２は、クロック生成用のＰＬＬ部５１２１を備える。このＰＬＬ部５１２１には、発振器５４からの発振信号が供給されると共に、無線通信部５１３からの受信信号の復調信号が供給され、このＰＬＬ部５１２１からは、発振器５４からの発振信号から、受信信号の復調信号のクロック成分に同期したクロック信号が生成される。このＰＬＬ部５１２１からのクロック信号は、ＴＤＭＡ変復調部５１２における処理用クロック信号とされる。
【００６８】
コーデック回路５３は、ＴＤＭＡ変復調部５１２で復調された音声信号を復号して、アナログ音声信号に変換し、そのアナログ音声信号をスピーカ５６に供給して、受話音声として放音する。また、コーデック回路５３は、マイクロホン５５で収音したアナログ音声信号を符号化して、ＴＤＭＡ変復調部５１２に供給するようにする。
【００６９】
なお、制御回路５２は、この子機ＨＳ１からの発呼時には、発呼時の呼制御信号を、無線通信回路５１を通じて親機ＢＳ１に送信し、また、親機ＢＳ１からの着信時の呼制御信号を受けた時には、着信音をスピーカ５６から放音するなどの処理を行う。
【００７０】
また、無線通信回路５１の制御部５１１は、自機に対応する親機ＢＳ１からの制御信号に応じてＴＤＭＡ変復調部５１２を制御し、ダウンリンクとアップリンクとで、通信に用いるスロットをサーチして特定し、受信／送信の処理を行うことができるようにしている。すなわち、待ち受け時において、親機ＢＳ１と子機ＨＳ１とは、ダウンリンクとアップリンクとにおいて予め決められる１つのスロット（ダミーベアラ）を通じて制御信号の送受ができるようにしている。そして、例えば、一斉着信が発生し、主装置１からの着信通知が親機ＢＳ１を介して子機ＨＳ１に通知されると、子機ＨＳ１では空きスロットのサーチ処理を行って、通話に用いる空きスロットを取得する。そして、子機ＨＳ１は、親機ＢＳ１と協働し、取得した空きスロットをトラフィックベアラとして用いて、通話を行うことができるようにしている。
【００７１】
このように、無線通信回路５１の制御部５１１は、親機ＢＳ１からの制御信号に応じて、親機ＢＳ１との間で通信に用いるスロットを特定して、親機ＢＳ１に対して接続するようにできる。また、無線通信回路５１の制御部５１１は、親機ＢＳ１からの制御信号に応じて、親機ＢＳ１との接続を解除（解放）することもできる。更に、無線通信回路５１の制御部５１１は、通信可能な他の親機からの制御信号に応じて、当該他の親機との間で通信に用いるスロットを特定して、当該他の親機に対して接続するようにできる。
【００７２】
以上の説明は、コードレス電話装置２１の親機ＢＳ１及び子機ＨＳ１についての説明であるが、前述したように、その他のコードレス電話装置２２〜２ｎの親機ＢＳ２〜ＢＳｎ及び子機ＨＳ２〜ＨＳｎについても同様の構成を有するものである。
【００７３】
［子機へのデータ通信のタイムロスを軽減する制御の具体例］
次に、子機へのデータ通信のタイムロスを軽減する制御の具体例について説明する。以下においては、説明を簡単にするため、図３を用いて説明した構成を有する４台の親機ＢＳ１〜ＢＳ４のいずれかに対して、図４を用いて説明した構成を有する３２台の子機ＨＳ１〜ＨＳ３２が接続されて電話システムが構成される場合を例にして説明する。
【００７４】
また、ＤＥＣＴ規格のコードレス電話装置の場合には、上述したように、ダウンリンクとアップリンクとのそれぞれで１２スロットを有する１フレームを単位として通信を行うため、理論的には１度に１２台の子機を１台の親機に接続して同時に通信可能である。しかし、以下に説明する例の場合には、例えばノイズの影響を受けるなどして使用できないスロットが存在することも考慮し、１台の親機に対しては、最大で８台の子機を同時に接続して同時に通信可能なものとして説明する。
【００７５】
従って、親機ＢＳ１〜ＢＳ４については、接続された子機が８台以下であればばら撒きモードをオンにし、８台よりも多ければばら撒きモードをオフにするように制御するものとして説明する。また、親機ＢＳ１〜ＢＳ４については、接続された子機が８台以下であれば、接続されている子機を接続の解除対象としないが、８台よりも多ければ接続されている子機を接続の解除対象とするものとして説明する。
【００７６】
図５は、この例の親機ＢＳ１〜ＢＳ４と子機ＨＳ１〜ＨＳ３２の配置例について説明するための図である。図５において、黒丸印は親機の設置位置を示している。図５において、左上側の黒丸印が示す位置には親機ＢＳ１が設置され、左下側の黒丸印が示す位置には親機ＢＳ２が設置されている場合を示している。また、図５において、右下側の黒丸印が示す位置には親機ＢＳ３が設置され、右上側の黒丸印が示す位置には親機ＢＳ４が設置されている場合を示している。これらの親機ＢＳ１〜ＢＳ４は、図１を用いて説明したように、主装置１に対して有線接続されるが、図５においては主装置１の記載は省略している。
【００７７】
親機ＢＳ１の周囲には親機ＢＳ１との間で通信が可能な円形の通信可能エリアＡＲ１が形成され、親機ＢＳ２の周囲には親機ＢＳ２との間で通信が可能な円形の通信可能エリアＡＲ２が形成される。同様に、親機ＢＳ３の周囲には親機ＢＳ３との間で通信が可能な円形の通信可能エリアＡＲ３が形成され、親機ＢＳ４の周囲には親機ＢＳ４との間で通信が可能な円形の通信可能エリアＡＲ４が形成される。
【００７８】
そして、図５に示すように、親機ＢＳ１との間で通信が可能な通信可能エリアＡＲ１内には、１６台の子機ＨＳ１〜ＨＳ１６が位置しており、そのそれぞれが親機ＢＳ１に接続されているものとする。また、親機ＢＳ２との間で通信が可能な通信可能エリアＡＲ２内には、１６台の子機ＨＳ５〜ＨＳ１２、ＨＳ１７〜ＨＳ２４が位置しており、その内の８台の子機ＨＳ１７〜ＨＳ２４が親機ＢＳ２に接続されているものとする。
【００７９】
また、親機ＢＳ３との間で通信が可能な通信可能エリアＡＲ３内には、１４台の子機ＨＳ１１、ＨＳ１２、ＨＳ２１〜ＨＳ３２が位置しており、その内の８台の子機ＨＳ２５〜ＨＳ３２が親機ＢＳ３に接続されているものとする。また、親機ＢＳ４との間で通信が可能な通信可能エリアＡＲ４内には、１０台の子機ＨＳ９〜ＨＳ１４、ＨＳ２９〜ＨＳ３２が位置しているが、親機ＢＳ４には、いずれの子機も接続されていないものとする。
【００８０】
このような、親機ＢＳ１〜ＢＳ４のそれぞれにおける子機ＨＳ１〜ＨＳ３２との関係は、親機と子機と間の通信に基づいて、親機ＢＳ１〜ＢＳ４のそれぞれの制御回路４１が親機ＢＳ１〜ＢＳ４のそれぞれの子機管理テーブル４１１に情報を記録して管理する。図６、図７は、親機に形成される子機管理テーブルの例を説明するための図である。図６、図７に示すように、親機ＢＳ１〜ＢＳ４の子機管理テーブル４１１では、接続台数、接続可能台数が管理される。接続台数は、実際に親機に接続（収容）されている子機の台数であり、接続可能台数は、親機には接続されていないが、親機との間で通信が可能であり親機に対して接続が可能な子機の台数である。
【００８１】
そして、図６、図７に示すように、子機ＩＤが当該親機に接続可能な子機のそれぞれを識別可能な識別情報である。また、接続子機は実際に親機に接続されている子機を示すフラグ情報であり、子機ＩＤに対応付けられたものである。そして、優先子機は、ばら撒きモードがオフのときに、主装置１との間で優先して通信を行う子機を示すフラグ情報であり、子機ＩＤに対応付けられたものである。すなわち、子機管理テーブル４１１により、当該親機に対して接続可能な子機が把握でき、この接続可能な子機のうち実際に当該親機に接続されている子機が把握できる。更に、子機管理テーブル４１１により、実際に当該親機に接続されている子機のうち、ばら撒きモードがオフのときに、優先的に主装置１と通信を行う子機が把握できる。
【００８２】
具体的に、図６（Ａ）は、親機ＢＳ１の子機管理テーブル４１１の格納データの例を示している。親機ＢＳ１の子機管理テーブル４１１では、上述もしたように、親機ＢＳ１に接続可能な子機は、子機ＨＳ１〜ＨＳ１６の１６台で、実際に親機ＢＳ１に接続されている子機は、子機ＨＳ１〜ＨＳ１６の１６台であることが管理されている。そして、実際に親機ＢＳ１に接続されている子機のうち子機ＨＳ１、ＨＳ４、ＨＳ７がばら撒きモードがオフのときにおいて優先的に主装置１と通信を行う子機として管理されている。
【００８３】
また、図６（Ｂ）は、親機ＢＳ２の子機管理テーブル４１１の格納データの例を示している。親機ＢＳ２の子機管理テーブル４１１では、上述もしたように、親機ＢＳ２に接続可能な子機は、子機ＨＳ５〜ＨＳ１２、ＨＳ１７〜２４の１６台で、実際に親機ＢＳ２に接続されている子機は、子機ＨＳ１７〜ＨＳ２４の８台であることが管理されている。そして、実際に親機ＢＳ２に接続されている子機のうち子機ＨＳ１７、ＨＳ２０、ＨＳ２３がばら撒きモードがオフのときにおいて優先的に主装置１と通信を行う子機として管理されている。
【００８４】
また、図７（Ａ）は、親機ＢＳ３の子機管理テーブル４１１の格納データの例を示している。親機ＢＳ３の子機管理テーブル４１１では、上述もしたように、親機ＢＳ３に接続可能な子機は、子機ＨＳ１１、ＨＳ１２、子機ＨＳ２１〜ＨＳ３２の１４台で、実際に親機ＢＳ３に接続されている子機は、子機ＨＳ２５〜ＨＳ３２の８台であることが管理されている。そして、実際に親機ＢＳ３に接続されている子機のうち子機ＨＳ２５、ＨＳ２８、ＨＳ３１がばら撒きモードがオフのときにおいて優先的に主装置１と通信を行う子機として管理されている。
【００８５】
また、図７（Ｂ）は、親機ＢＳ４の子機管理テーブル４１１の格納データの例を示している。親機ＢＳ４の子機管理テーブル４１１では、上述もしたように、親機ＢＳ４に接続可能な子機は、子機ＨＳ９〜ＨＳ１４、ＨＳ２９〜ＨＳ３２の８台で、実際に親機ＢＳ４に接続されている子機はまだないことが管理されている。
【００８６】
なお、ばら撒きモードがオフであるときに、優先的に主装置１と通信を行う子機については、予め子機に設定しておき、この設定情報を子機から提供を受けて親機で管理するようにできる。また、子機が親機に接続（収容）された場合に、親機がその子機を優先子機にするか否かを決定するようにすることも可能である。この実施の形態の場合には、子機が親機に接続（収容）された場合に、親機を通じて子機に対して優先子機にするか否かの問い合わせを行うようにし、優先子機にする場合にはその設定入力を、子機を通じて受け付けて親機に通知するものとする。
【００８７】
そして、主装置１は、親機ＢＳ１〜ＢＳ４のそれぞれから、子機管理テーブル４１１の格納データの提供を受けることにより、制御回路１２が親機別子機管理テーブル１４を形成する。図８は、親機ＢＳ１〜ＢＳ４のそれぞれから取得する子機管理テーブル４１１の格納データに基づいて形成される親機別子機管理テーブル１４について説明するための図である。
【００８８】
図８を見ると分かるように、親機別子機管理テーブル１４は、図６、図７を用いて説明した親機ＢＳ１〜ＢＳ４のそれぞれで管理されていた子機管理テーブル４１１の情報を、主装置１において、親機別に一元管理するようにしたものである。すなわち、主装置１の親機別子機管理テーブル１４では、親機別に、接続台数と接続可能台数とを管理する。また、主装置１の親機別子機管理テーブル１４では、親機別に、接続可能子機の子機ＩＤ（図８では、ＨＳ１、ＨＳ２、…と記載）を管理すると共に、親機別に実際に親機に接続されている子機を子機ＩＤに対応するフラグ情報によって管理している。
【００８９】
更に、この主装置の親機別子機管理テーブル１４においても、ばら撒きモードがオフのときに、主装置１との間で優先して通信を行う子機については、子機ＩＤに対応付けられるフラグ情報によって管理される。しかし、図８においては、説明を簡単にするため、ばら撒きモードがオフのときに、主装置１との間で優先して通信を行う子機については、子機ＩＤに対応付けられるようにされている記号「＊」によって示している。これにより、主装置１においては、親機ＢＳ１〜ＢＳ４のそれぞれにおいて管理されていた子機に関する管理情報を、図８に示したように、親機別に一元管理することができるようにされる。
【００９０】
そして、図８に示した親機別子機管理テーブル１４の格納データに基づいて、主装置１の制御回路１２は、接続された子機が８台を超えるために接続を解除（解放）する子機が存在する親機と、接続を解除した子機の新たな接続先となる他の親機とを特定する。図８に示すように、この例の場合には、親機ＢＳ１に対して１６台の子機が接続されており、接続が可能な所定台数である８台を大きく超えている。このため、制御回路１２は、親機ＢＳ１を、接続された子機が８台を超えるために接続を解除（解放）する子機が存在する親機として特定する。
【００９１】
また、図８に示すように、親機ＢＳ２と親機ＢＳ３には、接続可能な所定台数である８台の子機が接続されているため、接続を解除した子機の新たな接続先となる他の親機となることはできない。これに対して、親機ＢＳ４は、接続されている子機はない。また、親機ＢＳ１に接続されている子機の内、太線で囲んで示したように、子機ＨＳ９〜ＨＳ１４の６台の子機は、親機ＢＳ４とも接続可能なものである。このため、主装置１の制御回路１２は、親機ＢＳ４が新たな接続先となる他の親機として特定する。
【００９２】
そして、制御回路１２は、親機ＢＳ１に対しては、子機ＨＳ９〜ＨＳ１４までの６台の接続を解除することを指示する制御信号を形成して提供する。また、制御回路１２は、親機ＢＳ４に対しては、子機ＨＳ９〜ＨＳ１４までの６台を接続することを指示する制御信号を形成して提供する。これにより、親機ＢＳ１では子機ＨＳ９〜ＨＳ１４の６台の接続不が解除され、親機ＢＳ４では子機ＨＳ９〜ＨＳ１４の６台が新たに接続されて、親機ＢＳ１〜ＢＳ４に接続される子機の平準化が実行される。
【００９３】
しかし、接続される子機の平準化を行っても、親機ＢＳ１には、まだ１０台の子機が接続されており、所定台数である８台を２台分超えている。そこで、制御回路１２が、親機ＢＳ１に対して、ばら撒きモードをオフする制御信号を形成し、これを提供する。これにより、親機ＢＳ１においては、ばら撒きモードがオフにされ、親機ＢＳ１に接続された各子機に対して一斉に送信されるべき情報、例えば、着信通知などは、優先的に通知が行われる子機として登録されている子機ＨＳ１、ＨＳ４、ＨＳ７に対してのみ行うようにされる。
【００９４】
このように、この実施の形態の電話システムでは、まず、子機の接続の平準化が行われた後に、それでも所定台数である８台よりも多い子機が接続されている親機に対しては、ばら撒きモードがオフになるようにされる。これにより、接続されている子機に対して一斉に送信すべき情報が存在していても、優先的に送信を受ける子機に対して情報の送信が行われるので、一斉に送信すべき情報の送信について、タイムロスを生じさせることがないようにして、必要な子機に対して適切に情報を提供することができる。
【００９５】
［主装置１の処理］
図９は、この実施の形態の電話システムの主装置１で行われる、親機に接続される子機の平準化及びばら撒きモードについての制御処理について説明するためのフローチャートである。図９に示す処理は、主装置１の制御回路１２において、所定のタイミングごとに実行される処理である。
【００９６】
図９に示す処理が実行されると、制御回路１２は、まず自機に接続されている親機ＢＳ１〜ＢＳ４のそれぞれに対して、図６、図７を用いて説明した子機管理テーブル４１１に格納されている情報の提供を要求して、当該情報を取得する（ステップＳ１０１）。次に、制御回路１２は、親機ＢＳ１〜ＢＳ４のそれぞれから取得した子機管理テーブル４１１の情報に基づいて、図８を用いて説明した親機別子機管理テーブル１４を作成する（ステップＳ１０２）。
【００９７】
制御回路１２は、ステップＳ１０２において作成した親機別子機管理テーブル１４を参照し、親機ＢＳ１〜ＢＳ４に接続されている子機の平準化が可能か否かを判別する（ステップＳ１０３）。ステップＳ１０３の判別処理は、接続されている子機の台数が予め決められた所定台数である８台を超えている親機が存在し、当該親機に接続されている子機のうち、他の親機に接続可能な子機が存在するか否かを判別する処理である。
【００９８】
従って、ステップＳ１０３の判別処理において、接続されている子機の台数が予め決まられた所定台数である８台を超えている親機が存在しなければ、平準化は可能ではない（必要ではない）と判別される。また。ステップＳ１０３の判別処理において、接続されている子機の台数が予め決められた所定台数である８台を超えている親機が存在するが、当該親機に接続されている子機のうち、他の親機に接続可能な子機が存在しなければ、平準化は可能ではないと判別される。
【００９９】
ステップＳ１０３の判別処理において、平準化が可能であると判別したとする。この場合、制御回路１２は、平準化のための制御信号を形成し、これを関係する親機に対して送信する（ステップＳ１０４）。具体的には、接続を解除（解放）する子機が存在する親機に対しては、接続を解除する子機を指定した接続解除を指示する制御信号を形成し、これを送信する。また、接続を解除した子機の新たな接続先となる親機に対しては、接続する子機を指定した接続を指示する制御信号を形成し、これを送信する。
【０１００】
なお、平準化の対象になる親機は、１組だけに限るものではない。子機の接続を解除する親機は１以上の親機が対象となる場合があり、また、新たな接続先となる親機は１以上の親機が対象となる場合がある。また、１の親機に接続されている子機のうち、複数の子機の接続を解除する場合に、その新たな接続先となる親機が複数になる場合もある。
【０１０１】
そして、制御回路１２は、平準化後において、ばら撒きモードの変更が必要な親機が存在するか否かを判別する（ステップＳ１０５）。ステップＳ１０５の判別処理において、ばら撒きモードの変更が必要な親機が存在すると判別したとする。この場合、制御回路１２は、ばら撒きモードのオン／オフを制御する制御信号を形成し、これを関係する親機に送信する（ステップＳ１０６）。主装置１の制御回路１２においては、例えば内蔵するメモリに各親機ＢＳ１〜ＢＳ４の現状のばら撒きモードのオン／オフの状態を記憶しており、この状態をも考慮して制御信号を形成することになる。
【０１０２】
具体的には、平準化後の親機別子機管理テーブルの情報に基づいて、接続されている子機の台数が所定台数の８台を超えている親機であって、現状のばら撒きモードがオンである親機が存在したとする。この場合には、制御回路１２は、ばら撒きモードをオフにする制御信号を形成し、これを当該親機に送信する。また、平準化後の親機別子機管理テーブルの情報に基づいて、接続されている子機の台数が所定台数の８台以下の親機であって、現状のばら撒きモードがオフである親機が存在したとする。この場合には、制御回路１２は、ばら撒きモードをオンにする制御信号を形成し、これを当該親機に送信する。
【０１０３】
なお、ステップＳ１０５の判別処理において、ばら撒きモードの変更が必要な親機が存在しないと判別した場合と、ステップＳ１０６の処理の後においては、図９に示す処理を終了し、次の実行タイミングを待つことになる。また、ステップＳ１０３の判別処理において、ステップＳ１０３の判別処理において、平準化は可能でない（平準化は必要ではない）と判別した場合には、ステップＳ１０７からの処理を行うことになる。
【０１０４】
この場合には、制御回路１２は、現状において、ばら撒きモードの変更が必要な親機が存在するか否かを判別する（ステップＳ１０７）。ステップＳ１０７の判別処理において、ばら撒きモードの変更が必要な親機が存在すると判別したとする。この場合、制御回路１２は、ばら撒きモードのオン／オフを制御する制御信号を形成し、これを関係する親機に送信する（ステップＳ１０８）。このステップＳ１０８の処理は、ステップＳ１０６の処理と同様の処理となる。
【０１０５】
すなわち、現状の親機別子機管理テーブルの情報に基づいて、接続されている子機の台数が所定台数の８台を超えている親機であって、現状のばら撒きモードがオンである親機が存在したとする。この場合には、制御回路１２は、ばら撒きモードをオフにする制御信号を形成し、これを当該親機に送信する。また、現状の親機別子機管理テーブルの情報に基づいて、接続されている子機の台数が所定台数の８台以下の親機であって、現状のばら撒きモードがオフである親機が存在したとする。この場合には、制御回路１２は、ばら撒きモードをオンにする制御信号を形成し、これを当該親機に送信する。
【０１０６】
なお、ステップＳ１０７の判別処理において、ばら撒きモードの変更が必要な親機が存在しないと判別した場合と、ステップＳ１０８の処理の後においては、図９に示す処理を終了し、次の実行タイミングを待つことになる。このようにして、主装置１の制御回路１２は、親機に接続される子機の平準化を処理の制御とばら撒きモードのオン／オフ制御とを行う。
【０１０７】
［親機の処理］
図１０は、この実施の形態の電話システムの親機ＢＳ１〜ＢＳ４において、主装置１からの制御信号に応じて行われる処理について説明するためのフローチャートである。図１０に示す処理は、電源が投入されている親機ＢＳ１〜ＢＳ４の制御回路４１において常時、行うようにされる処理である。なお、図１０に示す処理は、親機ＢＳ１〜ＢＳ４のそれぞれにおいて実行される処理であるが、ここでは説明を簡単にするため、親機ＢＳ１で行われる処理として説明する。
【０１０８】
親機ＢＳ１の制御回路４１は、主装置１からの制御信号や自機に接続された子機からの制御信号を受信して、それらの制御信号に応じた処理を行う。このため、親機ＢＳ１の制御回路４１は、主装置１や自機に接続された子機からの制御信号を受信したか否かを判別し（ステップＳ２０１）、受信していないと判別したときには、ステップＳ２０１からの処理を繰り返すようにし、自機宛ての制御信号の到来を待つ。
【０１０９】
ステップＳ２０１の判別処理において、自機宛ての制御信号を受信したと判別したときには、受信した制御信号は、主装置１からの子機管理テーブルに格納されている情報の提供要求か否かを判別する（ステップＳ２０２）。ステップＳ２０２の判別処理において、受信した制御信号は、主装置１からの子機管理テーブル４１１に格納されている情報の提供要求であると判別したとする。この場合、制御回路４１は、子機管理テーブル４１１に格納されている情報を、回線ＬＳＩ部４２を通じて主装置１に提供する処理を行う（ステップＳ２０３）。この後、ステップＳ２０１からの処理を繰り返すようにする。
【０１１０】
ステップＳ２０２の判別処理において、受信した制御信号は、主装置１からの子機管理テーブルに格納されている情報の提供要求ではないと判別したとする。この場合には、制御回路４１は、受信した制御信号は、主装置１からの子機の平準化処理に関する制御信号か否かを判別する（ステップＳ２０４）。ステップＳ２０４の判別処理において、受信した制御信号は、主装置１からの子機の平準化処理に関する制御信号である判別したとする。この場合、制御回路４１は、当該制御信号に応じて、指示された自機に接続されている子機の接続を解除する処理、又は、指示された子機を自機に接続する処理を行う（ステップＳ２０５）。この後、ステップＳ２０１からの処理を繰り返すようにする。
【０１１１】
ステップＳ２０４の判別処理において、受信した制御信号は、主装置１からの子機の平準化処理に関する制御情報ではないと判別したとする。この場合、制御回路４１は、受信した制御信号は、主装置１からのばら撒きモードのオン／オフを切り替える制御信号か否かを判別する（ステップＳ２０６）。ステップＳ２０６の判別処理において、受信した制御信号は、主装置１からのばら撒きモードのオン／オフを切り替える制御信号である判別したとする。この場合、制御回路４１は、当該制御信号に応じて、自機のばら撒きモードをオンまたはオフにする処理を実行する（ステップＳ２０７）。この後、ステップＳ２０１からの処理を繰り返すようにする。
【０１１２】
ステップＳ２０６の判別処理において、受信した制御信号は、主装置１からのばら撒きモードのオン／オフを切り替える制御信号ではない判別した場合には、制御回路４１は、受信した制御信号に応じた処理を実行する（ステップＳ２０８）。この後、ステップＳ２０１からの処理を繰り返すようにする。なお、ステップＳ２０８で行われる処理には、例えば、主装置１からの制御信号に応じて、親機ＢＳ１が備える状態通知のためのＬＥＤ（Light Emitting Diode）の点灯／消灯制御や子機からの制御信号に応じた要求を主装置１に通知するようにする処理などが含まれる。
【０１１３】
このように、親機ＢＳ１は、主装置１からの制御信号に応じて、子機管理テーブル４１１の情報を主装置１に提供したり、平準化を実現するための処理を実行したり、ばら撒きモードのオン／オフの切り替え処理を実行したりすることができる。
【０１１４】
［実施の形態の効果］
上述した実施の形態の電話システムにおいて、親機ＢＳ１〜ＢＳｎは、自機に接続されている子機と、自機に接続されていないが自機に接続可能な子機と、ばら撒きモードがオフのときに、優先的に情報の提供を受ける子機とに関する子機管理情報を管理できる。主装置１は、親機ＢＳ１〜ＢＳｎのそれぞれから、子機管理情報を収集することにより、親機ＢＳ１〜ＢＳｎのそれぞれについての子機に関する状態を把握できる。これに応じて、主装置１は、親機ＢＳ１〜ＢＳｎについて子機の接続の平準化制御とばら撒きモードのオン／オフ制御を適切に行うことができる。
【０１１５】
これにより、コードレス電話装置の親機に対して、一斉に通信が可能な台数よりも多い数の子機が接続されている場合であっても、それらの全ての子機に情報を送信するようにする場合を生じさせないようにすることができる。従って、コードレス電話装置の親機に対して、一斉に通信が可能な台数よりも多い数の子機が接続された場合に生じる通信のタイムロスを軽減することができる。
【０１１６】
［変形例］
上述した実施の形態の電話システムにおいては、各親機ＢＳ１〜ＢＳ４に接続された子機について平準化の処理を行うようにし、平準化の後においても、予め決められた所定台数よりも多い子機が接続された親機についてばら撒きモードをオフにするようにした。しかし、平準化の処理は必ずしも行わなくてもよい。つまり、平準化の処理を行うことなく、各親機ＢＳ１〜ＢＳ４に接続された子機の台数を把握し、予め決められた所定台数よりも多い子機が接続された親機について、ばら撒きモードをオフにするように制御するだけでもよい。この場合、子機が使用者の移動に伴って移動し、ハンドオーバーが行われることにより、各親機に接続される子機の台数が自然に平準化されるのを待つようにしてもよい。
【０１１７】
また、上述した実施の形態では、１台の親機に接続可能な子機の所定台数が８台である場合を例にして説明したが、これに限るものではない。１台の親機に接続可能な子機の所定台数は、ＤＥＣＴ方式のコードレス電話装置の場合には、１２台以下の適宜の台数とすることができる。従って、コードレス電話装置を設置する環境が、影響するノイズの多い場所では、１台の親機に接続可能な子機の台数を少なく設定し、影響するノイズが少ない場所では、１台の親機に接続可能な子機の台数を多く設定するといったことが可能である。このような、１台の親機に接続可能な子機の所定台数については、主装置１の制御回路１２のメモリにおいて登録・管理することができる。
【０１１８】
また、ＤＥＣＴ方式のコードレス電話装置の場合、チャンネル数は５チャンネルであることを説明したが、親機に接続される子機の平滑化は、チャンネルごとに行うことができる。
【０１１９】
また、ばら撒きモードのオン／オフの切り替えは、自動で行うものとして説明したが、これに限るものではない。例えば、平滑化対象となる子機に対して、接続先の親機を変更する旨を親機から通知するようにし、子機の使用者の確認入力を求めるようにする。そして、子機の使用者が確認入力をした場合に、これを親機から主装置１に通知し、主装置１が最終的に平滑化するように、接続を開放する親機と新たに子機の接続先となる親機を制御して、平滑化を行うようにしてもよい。すなわち、平滑化は、子機の使用者のマニュアル操作に応じて実行するようにすることもできる。
【０１２０】
また、上述した実施の形態では、コードレス電話装置はＤＥＣＴ方式のものである場合を例にして説明したが、これに限るものではない。従って、親機に対して複数の子機を接続することが可能な種々の方式のコードレス電話装置を用いて電話システムを構築する場合に、この発明を提供することができる。
【０１２１】
［その他］
上述した実施の形態の説明からも分かるように、請求項における電話制御装置の記憶手段、制御手段の各機能は、実施の形態の主装置１の親機別子機管理テーブル１４、制御回路１２が実現している。また、請求項における電話制御装置の平準化制御手段の機能は、実施の形態の主装置１の制御回路１２が実現している。
【０１２２】
請求項のコードレス電話装置の親機の子機管理情報記憶手段、子機管理情報提供手段、親機制御手段の各機能は、親機ＢＳ１〜ＢＳｎの子機管理テーブル４１１、制御回路４１及び回線ＬＳＩ部４２、制御回路４１が実現している。請求項のコードレス電話装置の親機の平準化処理手段の機能は、親機ＢＳ１〜ＢＳｎの制御回路４１が実現している。
【０１２３】
また、図９のフローチャートを用いて説明した処理を実行するプログラムが、主装置（電話制御装置）で実行される電話制御装置プログラムの一実施の形態が適用されたものである。また、図１０のフローチャートを用いて説明した処理を実行するプログラムが、コードレス電話装置の親機で実行されるコードレス電話装置制御プログラムの一実施の形態が適用されたものである。
【符号の説明】
【０１２４】
１…主装置、１２…制御回路、１４…親機別子機管理テーブル、２１〜２ｎ…コードレス電話装置、ＢＳ１〜ＢＳｎ…親機、ＨＳ１〜ＨＳｎ…子機、４１…制御回路、４１１…子機管理テーブル、４２…回線ＬＳＩ部、４３…同期信号発生回路、４４…無線通信回路、４４１…制御部、４４２…ＴＤＭＡ変復調部、４４３…無線通信部、５１…無線通信回路、５２…制御回路、５３…コーデック回路、５１１…制御部、５１２…ＴＤＭＡ変復調部、５１３…無線通信部
【図１】
2019146054.tif 000003
【図２】
2019146054.tif 000004
【図３】
2019146054.tif 000005
【図４】
2019146054.tif 000006
【図５】
2019146054.tif 000007
【図６】
2019146054.tif 000008
【図７】
2019146054.tif 000009
【図８】
2019146054.tif 000010
【図９】
2019146054.tif 000011
【図１０】
2019146054.tif 000012
【図１１】
2019146054.tif 000013